(57)【要約】  簡単な構造で、複数の内容物を均一に混合して噴射することができるとともに、噴射後に流路内に残る内容物が少ないエアゾール用のノズルを提供すること。  複数のステム１０３に嵌合するノズル下部１２０と、ノズル上部１１０とを有するエアゾール用のノズル１００であって、ノズル下部１２０の上部当接面１２２及びノズル上部１１０の下部当接面１１２の少なくとも一方に、ノズル下部１２０とノズル上部１１０とを嵌合した際に、ステム連通流路１２３の開口と混合流路１１１の開口とをつなぐ複数の合流流路１３１を形成する合流溝１２６を有すること。
2017026050.tif 000002
【特許請求の範囲】
【請求項１】
エアゾール容器から突出した複数のステムに嵌合するノズル下部と、前記ノズル下部に嵌合するノズル上部とを有するエアゾール用のノズルであって、
前記ノズル下部は、前記複数のステムにそれぞれ嵌合するステム嵌合部と、上部当接面と、前記上部当接面に開口し前記ステム嵌合部から貫通するステム連通流路とを有し、
前記ノズル上部は、下部当接面と、前記下部当接面に開口し上方に伸びる混合流路とを有し、
前記上部当接面及び下部当接面の少なくとも一方に、複数の前記ステム連通流路の開口をつなぐ合流溝を有し、
前記合流溝が、前記ノズル下部とノズル上部とを嵌合した際に、前記ステム連通流路の開口と前記混合流路の開口とをつなぐ複数の合流流路を形成することを特徴とするエアゾール用のノズル。
【請求項２】
複数の前記合流流路が、前記ステム連通流路の中心線と混合流路の中心線とを結ぶ直線以外の流線を有することを特徴とする請求項１に記載のエアゾール用のノズル。
【請求項３】
複数の前記合流流路が、形状の異なるものを含むことを特徴とする請求項１又は請求項２に記載のエアゾール用のノズル。
【請求項４】
前記下部当接面と上部当接面の少なくとも一方には、複数の前記合流流路と前記混合流路をつなぐ混合空間が形成されていることを特徴とする請求項１乃至請求項３のいずれかに記載のエアゾール用のノズル。
【請求項５】
前記ノズル上部と前記ノズル下部とが、一体成型され、ヒンジ部で連結されていることを特徴とする請求項１乃至請求項４のいずれかに記載のエアゾール用のノズル。
【発明の詳細な説明】
【技術分野】
【０００１】
本発明は、エアゾール容器から突出した複数のステムに嵌合するノズル下部と、前記ノズル下部に嵌合するノズル上部とを有し、エアゾール容器に装着され内容物を噴射するエアゾール用のノズルに関する。
【背景技術】
【０００２】
従来、複数のステムを有するエアゾール容器に装着され、内容物を噴射するノズルが公知である。
例えば特許文献１等で公知のノズルは、１対の相対位置を固定されたエアゾール容器から突出している２本のステムに嵌着する噴出ヘッドを有しており、この噴出ヘッドの上部に配置されたレバーを押し下げることで、噴出ヘッドごとステムを押し下げ、ステムを介してエアゾール容器内から流出した２種類の内容物が噴出ヘッド内で混合された後、ノズル外に噴射される。
また、特許文献２等で公知のノズルは、１対の相対位置を固定されたエアゾール容器から突出している２本のステムに嵌着するジョイント部材と、ジョイント部材に嵌合するカバー部材によって形成された流路を有しており、カバー上部を押し下げることで、ステムは押し下げられ、ステムを介してエアゾール容器内から流出した２種類の内容物が流路内の混合室で混合された後、ノズル外に噴射される。
【先行技術文献】
【特許文献】
【０００３】
【特許文献１】特許第３８６５１９３号公報
【特許文献２】特許第３９０４８０６号公報
【発明の概要】
【発明が解決しようとする課題】
【０００４】
これらの公知のノズルは、撹拌室、混合室で複数の内容物を混合する構造にはなっているが、流路や撹拌室、混合室の容量が大きいため、充分均一に混合できずに噴射する虞があった。
混合を均一にするために、撹拌室、混合室の構造をさらに工夫することも考えられるが、部品点数が多くなったり、複雑な構造となり、製造や組立のコストが大きくなるという問題があった。
また、流路や撹拌室、混合室の容量が大きいため、噴射後に流路内に残る内容物が多く、ノズル外に流出し、缶胴や手、衣服などを汚す虞があった。
また、残留した内容物が固化して、次の噴射が正常に行えなかったり、変質したり雑菌が繁殖した内容物が混じった状態で噴射されてしまう危険性があった。
噴射後に流路内に残る内容物を減らすために、分解して洗浄することも考えられるが、使用者の手間が増えるとともに、洗浄分の内容物が無駄になるという問題があった。【０００５】
本発明は、上記課題を解決するものであり、簡単な構造で、複数の内容物を均一に混合して噴射することができるとともに、噴射後に流路内に残る内容物が少ないエアゾール用のノズルを提供することを目的とする。
【課題を解決するための手段】
【０００６】
本発明に係るエアゾール用のノズルは、エアゾール容器から突出した複数のステムに嵌合するノズル下部と、前記ノズル下部に嵌合するノズル上部とを有するエアゾール用のノズルであって、前記ノズル下部は、前記複数のステムにそれぞれ嵌合するステム嵌合部と、上部当接面と、前記上部当接面に開口し前記ステム嵌合部から貫通するステム連通流路と、前記上部当接面に設けられ複数の前記ステム連通流路の開口をつなぐ合流溝とを有し、前記ノズル上部は、下部当接面と、前記下部当接面に開口し上方に伸びる混合流路とを有し、前記合流溝が、前記ノズル下部とノズル上部とを嵌合した際に、前記ステム連通流路の開口と前記混合流路の開口とをつなぐ複数の合流流路を形成することにより、前記課題を解決するものである。
【発明の効果】
【０００７】
本請求項１に係るエアゾール用のノズルによれば、上部当接面及び下部当接面の少なくとも一方には、複数のステム連通流路の開口をつなぐ合流溝を有し、合流溝が、ノズル下部とノズル上部とを嵌合した際に、ステム連通流路と混合流路とをつなぐ複数の合流流路を形成することにより、単純形状で構成されたノズル下部とノズル上部を嵌合させるだけで、複数の合流流路から混合流路に向かう複数の内容物を混合流路の開口で混合して噴射するエアゾール用のノズルを得ることができ、製造や組立のコストを低減することが可能となる。
また、合流溝の形状、深さ等に応じて、内容物の種類や性質、使用用途に応じた様々な形状の合流流路を形成することが容易であり、複数の内容物を均一に混合して噴射することが可能となる。
さらに、合流溝の形状、深さを、均一に混合可能な小さな容量の合流流路に形成することができ、噴射後に流路内に残る内容物を少なくすることが可能となる。【０００８】
本請求項２に記載の構成によれば、複数の合流流路が、ステム連通流路の中心線と混合流路の中心線とを結ぶ直線以外の流線を有することにより、複数の内容物の混合流路直下での混合をさらに促進し均一に混合することができる。
本請求項３に記載の構成によれば、複数の合流流路が、形状の異なるものを含むことにより、複数の内容物の種類や性質が異なる場合でも、均一に混合して噴射することが可能となる。
本請求項４に記載の構成によれば、下部当接面と上部当接面の少なくとも一方には、複数の合流流路と混合流路をつなぐ混合空間が形成されていることにより、混合空間内で複数の内容物を均一に混合することができる。
また、混合空間を混合流路直下に設けることで小さな容量とすることができるため、噴射後に流路内に残る内容物も少なくすることができる。
本請求項５に記載の構成によれば、ノズル上部とノズル下部とが、一体成型され、ヒンジ部で連結されていることにより、さらに製造や組立のコストを低減することが可能となる。
【図面の簡単な説明】
【０００９】
【図１】本発明の一実施形態のエアゾール用のノズルの容器装着時の斜視図。
【図２】図１の平面、正面、側面図。
【図３】図２のＩ−Ｉ断面及びII―II断面図。
【図４】本発明の第１実施形態のエアゾール用のノズルの、ノズル上部及びノズル下部の当接面の平面図。
【図５】図４のIII―III断面及びIV―IV断面図。
【図６】本発明の第２乃至第６実施形態のエアゾール用のノズルの、ノズル下部の当接面の平面図。
【図７】本発明の第７及び第８実施形態のエアゾール用のノズルの、ノズル下部の当接面の平面図及びＶ―Ｖ断面、VI―VI断面図。
【図８】本発明の第９実施形態のエアゾール用のノズルの、ノズル上部及びノズル下部の当接面の平面図。
【図９】図８のVII―VII断面、VIII―VIII断面及び組立時の断面図。
【図１０】本発明の第１０実施形態のエアゾール用ノズルと、ノズル上部及びノズル下部の斜視図。
【符号の説明】
【００１０】
１００  ・・・  エアゾール用のノズル
１０１  ・・・  エアゾール容器
１０２  ・・・  肩カバー
１０３  ・・・  ステム
１１０  ・・・  ノズル上部
１１１  ・・・  混合流路
１１２  ・・・  下部当接面
１１３  ・・・  外周嵌合凹部
１１４  ・・・  内周嵌合凸部
１１５  ・・・  合流流路凸部
１１６  ・・・  センターポスト
１１７  ・・・  噴口
１１８  ・・・  押圧部
１１９  ・・・  押下接触部
１２０  ・・・  ノズル下部
１２１  ・・・  ステム嵌合部
１２２  ・・・  上部当接面
１２３  ・・・  ステム連通流路
１２４  ・・・  外周嵌合凸部
１２５  ・・・  内周嵌合凹部
１２６  ・・・  合流溝
１３１  ・・・  合流流路
１３２  ・・・  混合空間
【発明を実施するための形態】
【００１１】
本発明は、エアゾール容器から突出した複数のステムに嵌合するノズル下部と、ノズル下部に嵌合するノズル上部とを有するエアゾール用のノズルであって、ノズル下部は、複数のステムにそれぞれ嵌合するステム嵌合部と、上部当接面と、上部当接面に開口しステム嵌合部から貫通するステム連通流路と、上部当接面に設けられ複数のステム連通流路の開口をつなぐ合流溝とを有し、ノズル上部は、下部当接面と、下部当接面に開口し上方に伸びる混合流路とを有し、合流溝が、ノズル下部とノズル上部とを嵌合した際に、ステム連通流路の開口と混合流路の開口とをつなぐ複数の合流流路を形成するものであれば、具体的な実施形態はいかなるものであっても良い。
【実施例１】
【００１２】
本発明の第１実施形態に係るエアゾール用のノズル１００は、図１乃至図５に示すように、エアゾール容器１０１から突出した２つのステム１０３に嵌合するノズル下部１２０と、ノズル下部１２０に嵌合するノズル上部１１０とを備えている。
ノズル下部１２０は、２つのステム１０３にそれぞれ嵌合するステム嵌合部１２１と、上部当接面１２２と、上部当接面１２２に開口しステム嵌合部１２１から貫通するステム連通流路１２３と、ステム連通流路１２３の開口を一直線につなぐ合流溝１２６と、上部当接面１２２の周囲を囲む内周嵌合凹部１２５と、内周嵌合凹部１２５の周囲を囲む外周嵌合凸部１２４とを有している。【００１３】
ノズル上部１１０は、下部当接面１１２と、下部当接面１１２に開口し上方に伸びる混合流路１１１と、下部当接面１１２の周囲を囲む内周嵌合凸部１１４と、内周嵌合凸部１１４の周囲を囲む外周嵌合凹部１１３と、混合流路１１１の上端付近から水平方向に伸びるセンターポスト１１６と、噴口１１７と、押圧部１１８とを有している。
また、ノズル下部１２０とノズル上部１１０とは、上部当接面１２２と下部当接面１１２とが密着するように嵌合することで、合流溝１２６の上方を下部当接面１１２が塞ぎ、ステム連通流路１２３の開口と混合流路１１１の開口とを一直線上につなぐ合流流路１３１を形成する。【００１４】
次に、本実施形態におけるエアゾール用のノズル１００によって２液を混合噴射する際の動作について説明する。
エアゾール用のノズル１００は、エアゾール容器１０１から突出した２つのステム１０３にステム嵌合部１２１を嵌合させた状態に配置されている。
エアゾール用のノズル１００の押圧部１１８を下方に押し込むと、２つのステム１０３が押し下げられ、２つのステム１０３のそれぞれのバルブ機構が同時に開放され、エアゾール容器１０１内に充填されている噴射剤の圧力によって、エアゾール容器１０１内の内容物がステムを通過し、エアゾール用のノズル１００内へ流入する。【００１５】
２つのステム１０３のそれぞれから流出した内容物は、それぞれのステム連通流路１２３と合流流路１３１を通り、混合流路１１１の開口付近で合流し、混合流路１１１内を通過しながら十分に混合され、センターポスト１１６の外周を通り、噴口１１７から噴射される。
エアゾール用のノズル１００のノズル下部１２０とノズル上部１１０とは、内周嵌合凹部１２５に内周嵌合凸部１１４が圧入嵌合され、外周嵌合凹部１１３に外周嵌合凸部１２４が圧入嵌合され、上部当接面１２２と下部当接面１１２の周囲を囲んでいるため、万一、内容液が上部当接面１２２と下部当接面１１２との間に浸出した場合でも、エアゾール用のノズル１００の噴口１１７以外から漏出することはない。
また、流路内容積を小さく形成しているため、内容物噴射後にエアゾール用のノズル１００内に残留する内容物の量を少なくでき、噴口１１７から内容物が漏出する虞を軽減できる。
以下の実施形態において、第１実施形態と共通する点は省略して説明する。
【実施例２】
【００１６】
本発明の第２実施形態に係るエアゾール用のノズルは、図６の上段左に示すように、ノズル下部１２０ｂの合流溝１２６ｂが、それぞれのステム連通流路１２３の接線の１つを内壁に持ち、それぞれのステム連通流路１２３の内径の半分の溝幅を有している。また、２つの合流溝１２６ｂは互いに交差することなく、それぞれのステム連通流路１２３と混合流路１１１の開口とをつなぐように配置されている。また、上部当接面１２２には、混合流路１１１の開口の下方にあたる部分に、混合空間１３２を形成しており、２つの合流溝１２６ｂの内壁は、それぞれのステム連通流路１２３と混合空間１３２との共通の接線を有している。
このことで、混合空間１３２において内容物に回転流が発生し、混合流路１１１内を通過しながらの混合がさらに促進される。
【実施例３】
【００１７】
本発明の第３実施形態に係るエアゾール用のノズルは、図６の上段中央に示すように、ノズル下部１２０ｃの合流溝１２６ｃが、それぞれのステム連通流路１２３の共通の接線を内壁に持ち、それぞれのステム連通流路１２３の内径の半分の溝幅を有している。また、２つの合流溝１２６ｃは互いに交差することがなく、それぞれのステム連通流路１２３と混合流路１１１の開口をつなぐように配置されている。
また、上部当接面１２２には、混合流路１１１の開口の下方にあたる部分に、混合空間１３２を形成しており、２つの合流溝１２６ｃは、それぞれのステム連通流路１２３の接線とは別に、混合空間１３２の接線を内壁に持つ。
このことで、第２実施形態と同様に混合空間１３２において内容物に回転流が発生し、混合流路１１１内を通過しながらの混合がさらに促進される。
【実施例４】
【００１８】
本発明の第４実施形態に係るエアゾール用のノズルは、図６の上段右に示すように、ノズル下部１２０ｄの合流溝１２６ｄが、それぞれのステム連通流路１２３の互いに平行でない２つの接線を内壁に持つ。
また、２つの合流溝１２６ｄは、互いに交差することがなく、それぞれのステム連通流路１２３と混合流路１１１の開口をつなぐように配置されている。
また、上部当接面１２２には、混合流路１１１の開口の下方にあたる部分に、混合空間１３２を形成しており、２つの合流溝１２６ｄの内壁は、それぞれのステム連通流路１２３と混合空間１３２との共通の接線を有している。
このことで、合流溝１２６ｄは混合空間１３２に向かって断面積が小さくなり、通過する内容物の流速が大きくなるため、混合空間１３２における回転流をさらに速いものとし、混合流路１１１内を通過しながらの混合がさらに促進される。
【実施例５】
【００１９】
本発明の第５実施形態に係るエアゾール用のノズルは、図６の下段左に示すように、ノズル下部１２０ｅの合流溝１２６ｅが、それぞれのステム連通流路１２３と混合流路１１１の開口を一直線でつなぐように配置されている。
また、合流溝１２６ｅは、第１実施形態の合流溝１２６を、ステム連通流路１２３の開口の略半分ずらした位置まで、混合流路１１１の中心軸を回転軸として時計回りに回転させた位置関係で形成されている。
混合空間を設けることなく、回転流が混合流路１１１内に発生し、通過しながらの混合が促進される。
【実施例６】
【００２０】
本発明の第６実施形態に係るエアゾール用のノズルは、図６の下段右に示すように、ノズル下部１２０ｆの合流溝１２６ｆ及び１２６ｆ’が、それぞれのステム連通流路１２３と混合流路１１１の開口を一直線でつなぐように配置されている。また、合流溝１２６ｆの溝の幅は、ステム連通流路１２３の内径と同じであり、合流溝１２６ｆ’の溝の幅は、ステム連通流路１２３の内径よりも大きい。
このことで、それぞれの合流溝１２６ｆ、１２６ｆ’の幅を適宜選択することで、混合する２つの内容物の混合比を１：１以外に設定したい場合や、２つの内容物の粘性等が異なる場合にも対応することが可能となる。
【実施例７】
【００２１】
本発明の第７実施形態に係るエアゾール用のノズルは、図７の左に示すように、ノズル下部１２０ｇの合流溝１２６ｇが、それぞれのステム連通流路１２３と混合流路１１１の開口を一直線でつなぐように配置されている。また、合流溝１２６ｇは、それぞれのステム連通流路１２３から混合流路１１１の開口へ向かうに従って、溝の深さが浅くなるように形成されている。
このことで、合流溝１２６ｇは混合流路１１１に向かって断面積が小さくなり、通過する内容物の流速が大きくなるため、混合流路１１１内を通過しながらの混合がさらに促進される。
【実施例８】
【００２２】
本発明の第８実施形態に係るエアゾール用のノズルは、図７の右に示すように、ノズル下部１２０ｈの合流溝１２６ｈ及び１２６ｈ’が、それぞれのステム連通流路１２３の共通する接線の１つを内壁に持ち、それぞれのステム連通流路１２３の内径の半分の溝幅を有している。
また、２つの合流溝１２６ｈ及び１２６ｈ’は互いに交差することがなく、それぞれのステム連通流路１２３と混合流路１１１の開口を一直線につなぐように配置されている。また、合流溝１２６ｈ及び１２６ｈ’は、互いに異なるステム連通流路１２３に接続され、他方のステム連通流路１２３に向かうに従って溝の深さが浅くなるように形成されている。
このことで、合流溝１２６ｈは混合流路１１１に向かって断面積が小さくなり、通過する内容物の流速が大きくなるとともに、混合空間を設けることなく、回転流が混合流路１１１内に発生し、通過しながらの混合が促進される。
【実施例９】
【００２３】
本発明の第９実施形態に係るエアゾール用のノズル１００ｉは、図８及び図９に示すように、ノズル下部１２０ｉの合流溝１２６ｉ及び１２６ｉ’が、それぞれのステム連通流路１２３と混合流路１１１の開口とを、ステム連通流路１２３の内径と同じ溝幅で一直線につなぐように配置されている。
合流溝１２６ｉは、合流溝１２６ｉ’よりも溝の深さが浅く形成されており、上部当接面１２２には、混合流路１１１の開口の下方にあたる部分に、混合空間１３２を形成している。
また、ノズル上部１１０ｉの下部当接面１１２には、合流溝１２６ｉ’に嵌合可能な合流流路凸部１１５を有しており、ノズル上部１１０ｉとノズル下部１２０ｉとが嵌合することで、合流流路１３１は、合流溝１２６ｉ側と合流溝１２６ｉ’側とで、流路断面積が等しく、段差のある流路を形成する。
このことで、混合空間１３２において内容物に上下方向の回転流が発生し、混合流路１１１内を通過しながらの混合がさらに促進される。
【実施例１０】
【００２４】
本発明の第１０実施形態に係るエアゾール用のノズル１００ｊは、図１０に示すように、ノズル上部１１０ｊとノズル下部１２０ｊとを備え、ノズル上部１１０ｊには、指で直接押圧する押圧部は設けられておらず、押下接触部１１９を有している。
ノズル下部１２０ｊとノズル上部１１０ｊとを嵌合した際には、前述した各実施形態と同様に、ステム連通流路の開口と混合流路の開口とをつなぐ複数の合流流路が形成され、その形態は、前述した各実施形態のものを含め、いかなるものであってもよい。
本実施形態に係るノズル１００ｊは、ノズル１００ｊの押下接触部１１９に接触して押圧可能なレバー（図示しない）を有するカバー部材（図示しない）に適用することで、レバーを押し下げてノズル１００ｊの押下接触部１１９を押圧し、内容物を噴射可能となる。
このことで、ノズル１００ｊの形状を変更することなく、エアゾール製品上部の外観をカバー部材によって自由に変更可能であり、また、レバー押下方式でのノズル１００ｊの押圧によって、ノズル１００ｊを介して２つのステム１０３を均等に押圧でき、２液の同時噴射性がさらに向上される。【００２５】
以上、本発明の実施形態を詳述したが、本発明は上記実施形態に限定されるものではなく、特許請求の範囲に記載された本発明を逸脱することなく種々の設計変更を行なうことが可能である。
例えば、上述した実施形態のエアゾール用のノズルは、エアゾール容器から２つのステムが突出しているものに装着するものであるが、ステムの数は２つに限定されず、ステムの数とそれぞれのステムの突出位置に対応したステム嵌合部を設け、それぞれに対応した合流溝を有するエアゾール用のノズルを適宜用意すればよく、ステムの数が３本以上突出していてもよい。
また、上述した実施形態のエアゾール用のノズルは、２つのステムが突出した１本のエアゾール容器に装着するものであるが、エアゾール容器の数は１本に限定されず、ステムが１本あるいは複数本突出したエアゾール容器を複数本並べたものに装着するものであってもよい。【００２６】
また、上述した実施形態のエアゾール用のノズルは、混合空間や混合流路内で混合した内容物を、センターポストの周りを通し、噴口から水平方向に噴射するものであるが、噴射の方向や混合流路よりも先の流路は限定されず、例えば、混合流路の先から垂直方向に噴射してもよく、センターポストや噴口を設けなくてもよい。
また、上述した実施形態のエアゾール用のノズルは、合流溝がノズル下部の上部当接面に設けられるものであるが、合流溝をノズル上部の下部当接面に設けてもよく、下部当接面と上部当接面の両方に設けてもよい。
また、上述した実施形態のエアゾール用のノズルは、合流溝が略直線で形成されているものであるが、合流溝の形状は直線に限定されず、例えば、それぞれのステム連通流路から混合流路まで弧を描くような形状でもよく、屈曲した形状や、蛇行した形状でもよい。【００２７】
また、上述した実施形態のエアゾール用のノズルは、混合流路はそれぞれのステム連通流路から等距離の場所に設けられているものであるが、混合流路の位置は限定されず、例えば、一方のステムに近く、他方のステムに遠い位置に設けられてもよい。
また、上述した実施形態のエアゾール用のノズルは、それぞれのステム連通流路に接続している合流溝は一本であるものであるが、合流溝の接続数は一本に限定されず、例えば、１つのステム連通流路に２本の合流溝が接続されていてもよい。
また、上述した実施形態のエアゾール用のノズルは、ノズル上部とノズル下部とを別部品であるが、ノズル上部とノズル下部はヒンジ等で連結された一体成型品であってもよい。
また、上述した実施形態のエアゾール用のノズルは、２本のステムは互いに略同じ高さで位置固定されるものであるが、２本のステムの固定位置は互いに同じ高さでなくてもよく、例えば、固定される高さの異なる２本のステムに対応する、高さの異なるステム嵌合部を有したノズル下部を用いてもよい。
【図１】
2017026050.tif 000003
【図２】
2017026050.tif 000004
【図３】
2017026050.tif 000005
【図４】
2017026050.tif 000006
【図５】
2017026050.tif 000007
【図６】
2017026050.tif 000008
【図７】
2017026050.tif 000009
【図８】
2017026050.tif 000010
【図９】
2017026050.tif 000011
【図１０】
2017026050.tif 000012
【国際調査報告】
2017026050.tif 000013
2017026050.tif 000014